(57)【要約】【課題】  本発明は、外部機器側のメニューに対応するメニュー表示を見ながら操作部を操作することができる操作性に優れた入力装置およびこの操作方法を提供すること。【解決手段】  本発明の入力装置は、フィルムシート９を有する操作部４と、この操作部４と対向する下部に所定のピッチ寸法で整列形成した複数のスイッチ部Ｓ１〜Ｓ５とを備え、フィルムシート９には、外部機器（図示せず）側の複数のメニューに対応する、例えば「今の番組」というようなメニュー表示５ｂが印刷され、第１の操作部５の操作によりメニュー表示５ｂに対応する外部機器側のメニュー（今放送中の番組）が起動する。【選択図】        図１
2006195769.tif 000002
【特許請求の範囲】
【請求項１】
フィルムシートを有する操作部と、この操作部と対向する下部に所定のピッチ寸法で整列形成した複数のスイッチ部とを備え、前記フィルムシートには、外部機器側に表示される複数のメニューに対応する文字または記号からなるメニュー表示が印刷形成されており、所望の前記機能メニューに対応する前記メニュー表示が形成された前記操作部の操作により、前記外部機器側の所望の前記メニューが起動することを特徴とする入力装置。
【請求項２】
前記フィルムシートは、透明に形成され、この透明な前記フィルムシートの下面側に前記メニュー表示が印刷されていることを特徴とする請求項１記載の入力装置。
【請求項３】
前記操作部は、前記フィルムシート上が潤滑性に優れたシリコン樹脂フィルムで覆われていることを特徴とする請求項１、または２記載の入力装置
【請求項４】
前記操作部は、長尺状に形成され、前記スイッチ部は、前記操作部の長尺方向に沿って複数の可動接点と固定接点とを互いに対向させて所定のピッチ寸法で配設したメンブレンスイッチからなることを特徴とする請求項１乃至３のいずれかに記載の入力装置。
【請求項５】
長尺状の操作部と、この操作部の下部の長尺方向に複数のスイッチ部を整列形成したメンブレンスイッチとを有する入力装置の操作方法であって、前記操作部には、外部機器側のメニューに対応するメニュー表示が印刷され、前記操作部の一部をタッチする第１の操作で、前記操作部の下部に位置するスイッチ部が切り換わって、前記メニュー表示に対応する前記外部機器側の前記メニューが起動するようになっていることを特徴とする入力装置の操作方法。
【請求項６】
前記第１の操作後に、前記操作部をなぞる第２の操作で、前記起動した前記メニューの中から所望のコンテンツを選択可能になっていることを特徴とする請求項５記載の入力装置の操作方法。
【請求項７】
前記第２の操作で前記所望のコンテンツを選択後、前記メンブレンスイッチのスイッチ部とは異なるスイッチを押圧操作する第３の操作で、選択された前記所望のコンテンツが決定されることを特徴とする請求項６記載の入力装置の操作方法。
【請求項８】
前記スイッチは、前記メンブレンスイッチの下部に配設され、前記第３の操作によって、前記操作部を強く押し込むことで前記スイッチが入力されて、前記コンテンツが決定されることを特徴とする請求項７記載の入力装置の操作方法。
【発明の詳細な説明】
【技術分野】
【０００１】
本発明は入力装置およびこの操作方法に係わり、入力装置の操作部に外部機器側のメニューに対応したメニュー表示を印刷形成した入力装置およびこの操作方法に関する。
【背景技術】
【０００２】
従来の入力装置を、外部機器である例えばＤＶＤ録画装置等の多機能な装置を操作可能なリモコン装置（図示せず）で説明すると、従来のリモコン装置である入力装置には、１キー１機能入力が可能な操作キーが、外部機器側の複数のメニューに対応して複数形成されていた。
そして、外部機器側の所望のメニューに対応する操作キーを押圧操作することで、外部機器側の所望のメニューを、テレビ受像器等の画面上に起動していた。
【０００３】
そして、操作キーを押圧操作してテレビ受像器等の画面上に起動させたメニューが、例えば過去に録画した複数の番組リストだとすると、押圧操作した操作キーとは異なる十字キー等を操作することにより、例えば過去に録画していた複数の番組の中から所望の番組を選択するメニュウ選択を行うことができる。
前記十字キーによるメニュウ選択で所望の番組を選択すると、前記操作キーおよび前記十字キーとは別の再生キーを操作することで、録画した番組リストの中から選択した所望の番組を再生して観賞することができる。
【特許文献１】特開平  ５−３５５７５３号公報
【特許文献２】実開平  ５−３５５７５３号公報
【発明の開示】
【発明が解決しようとする課題】
【０００４】
しかし、前述したような従来の入力装置およびこの操作方法においては、入力装置側の操作キーが１キー１機能入力だったので、例えばＤＶＤ録画装置等の多機能な装置で、過去に録画した複数の番組リストからメニュウ選択して所望の番組を選択して再生するには、複数の操作キーだけでなく、十字キー、および再生キーと複数のキーを操作しなければならなかったので、操作性が悪かった。
また、操作に慣れてない人だと、誤入力等が発生するおそれがあった。
【０００５】
また、入力装置側の操作キーが１キー１機能入力だったことにより、例えばＤＶＤ録画装置等の多機能な装置だと、操作キーの数が多くなって入力装置の構造が複雑になる問題があった。
本発明は前述したような課題を解決して、外部機器側のメニューに対応するメニュー表示を見ながら操作部を操作することができる操作性に優れた入力装置およびこの操作方法を提供することを目的とする。
【課題を解決するための手段】
【０００６】
前記課題を解決するための第１の手段として本発明の入力装置は、フィルムシートを有する操作部と、この操作部と対向する下部に所定のピッチ寸法で整列形成した複数のスイッチ部とを備え、前記フィルムシートには、外部機器側のメニューに対応するメニュー表示が印刷形成されており、所望の前記メニューに対応する前記メニュー表示が形成された前記操作部の操作により、前記外部機器側の所望の前記メニューが起動することを特徴とする。
また、前記課題を解決するための第２の手段として、前記フィルムシートは、透明に形成され、この透明な前記フィルムシートの下面側に前記メニュー表示が印刷されていることを特徴とする。
【０００７】
また、前記課題を解決するための第３の手段として、前記操作部は、前記フィルムシート上が潤滑性に優れたシリコン樹脂フィルムで覆われていることを特徴とする。
また、前記課題を解決するための第４の手段として、前記操作部は、長尺状に形成され、前記スイッチ部は、前記操作部の長尺方向に沿って複数の可動接点と固定接点とを互いに対向させて所定のピッチ寸法で配設したメンブレンスイッチからなることを特徴とする。
【０００８】
また、前記課題を解決するための第５の手段として本発明の入力装置の操作方法は、長尺状の操作部と、この操作部の下部の長尺方向に整列形成した複数のスイッチ部とを有する入力装置の操作方法であって、前記操作部には、外部機器側のメニューに対応するメニュー表示が印刷され、前記操作部の一部をタッチする第１の操作で、前記操作部の下部に位置するスイッチ部が切り換わって、前記メニュー表示に対応する前記外部機器側の前記メニューが起動するようになっていることを特徴とする。
【０００９】
また、前記課題を解決するための第６の手段として、第１の操作後に、前記操作部をなぞる第２の操作で、前記起動した前記メニューの中から所望のコンテンツを選択可能になっていることを特徴とする。
また、前記課題を解決するための第７の手段として、前記第２の操作で前記所望のコンテンツを選択後、前記メンブレンスイッチのスイッチ部とは異なるスイッチを押圧操作する第３の操作で、選択された前記所望のコンテンツが決定されることを特徴とする。
【００１０】
また、前記課題を解決するための第８の手段として、前記スイッチは、前記メンブレンスイッチの下部に配設され、前記第３の操作によって、前記操作部を強く押し込むことで前記スイッチが入力されて、前記コンテンツが決定されることを特徴とする。
【発明の効果】
【００１１】
本発明の入力装置は、フィルムシートを有する操作部と、この操作部と対向する下部に所定のピッチ寸法で整列形成した複数のスイッチ部とを備え、フィルムシートには、外部機器側のメニューに対応するメニュー表示が印刷形成されており、所望のメニューに対応するメニュー表示が形成された操作部の操作により、外部機器側の所望のメニューが起動するので、所望のメニュー表示を見ながら操作部を操作することができ、誤入力等の障害を防止でき操作性に優れた入力装置を提供できる。
また、フィルムシートは、透明に形成され、この透明なフィルムシートの下面側にメニュー表示が印刷されているので、メニュー表示を見ながら入力装置の操作部を操作することでき、操作性に優れている。
【００１２】
また、操作部は、フィルムシート上が潤滑性に優れたシリコン樹脂フィルムで覆われているので、操作者の指等の滑りが良く、操作性が良い。
また、操作部は、長尺状に形成され、スイッチ部は、操作部の長尺方向に沿って複数の可動接点と固定接点とを互いに対向させて所定のピッチ寸法で配設したメンブレンスイッチからなるので、操作部を軽くタッチした指を滑らせることで、複数のスイッチ部を切り換えることができ、更に操作性が良い。
また、操作部を軽く触ると外部機器側の複数のメニューが立ち上がり、操作部をそのままなぞって複数のスイッチ部を切り換えることで複数のメニューを選択でき、操作性に優れている。
【００１３】
また、本発明の入力装置の操作方法は、操作部の一部をタッチする第１の操作で、操作部の下部に位置するスイッチ部が切り換わって、メニュー表示に対応する外部機器側のメニューが起動するようになっているので、所望のメニュー表示がされた操作部を操作することで、所望のメニューを容易に起動することができ、操作性に優れている入力装置の操作方法を提供できる。
また、第１の操作後に、前記操作部をなぞる第２の操作で、前記起動した前記メニューの中から所望のコンテンツを選択可能になっているので、メニューを起動した同じ操作部の操作でコンテンツを選択することができ、更に操作性に優れている。
【００１４】
また、第２の操作で所望のコンテンツを選択後、メンブレンスイッチのスイッチ部とは異なるスイッチを押圧操作する第３の操作で、選択された所望のコンテンツが決定されるので、選択された所望のコンテンツを確実に決定することができる。
また、スイッチは、メンブレンスイッチの下部に配設され、第３の操作によって、操作部を強く押し込むことでスイッチが入力されて、コンテンツが決定されるので、同じ操作部を連続操作して第１〜第３の操作をすることで、所望のメニュウの起動と所望のコンテンツの選択と決定とを行うことができ、操作性に優れている。
【発明を実施するための最良の形態】
【００１５】
以下、本発明の入力装置およびこの操作方法を図面に基づいて説明する。まず、図１は本発明の入力装置の部分斜視図であり、図２は本発明に係わる操作部の部分拡大図であり、図３は図１の３−３断面図であり、図４は図１の４−４断面図であり、図５は本発明の入力装置の操作方法を説明する要部断面図である。
【００１６】
まず、本発明に係わる入力装置１を、外部機器である例えばＤＶＤ録画装置（図示せず）等のリモコン装置で図１、図２に基づいて説明すると、入力装置１は、表面２の図示上端部には、電波、又は赤外線等を用いて外部機器であるＤＶＤ録画装置等に向けて所定の信号を送出することが可能な送信部（図示せず）が形成されている。
また、入力装置１の表面２の上端部近傍には、例えば４個の操作ボタン３が設けられており、この操作ボタン３は、押圧式のキースイッチからなり、それぞれの操作ボタン３は、電源入力用、あるいはＨＤＤ装置、ＤＶＤ録画装置、テレビ受像器等の外部機器の選択スイッチ等になっている。
【００１７】
また、入力装置１は、操作ボタン３の図示下方の表面２に、本発明に係わる操作部４が配設されている。この操作部４は、入力装置１の横幅方向に所定の幅寸法で横長の長尺状に形成されている。
前記操作部４は、図１に示す上部側から第１〜第３の操作部５、６、７の例えば３個が所定の間隔で形成され、それぞれの操作面５ａ、６ａ、７ａが表面２から露出している。
【００１８】
前記第１〜第３の操作部５、６、７のそれぞれの上面には、操作面５ａ、６ａ、７ａが形成され、このそれぞれの操作面５ａ、６ａ、７ａは、潤滑性に優れた透明なシリコン樹脂フィルムからなる被覆膜８の上面に形成されている。
そのために、それぞれの操作面５ａ、６ａ、７ａ上に操作者の指等を載置させた状態でＸ１方向、又はＸ２方向に滑らかに移動できるようになっている。
また、被覆膜８の下部には、ＰＥＴ（ポリエツレンテレフタラート）樹脂等からなる透明なフィルムシート９が配設されている。
【００１９】
前記フィルムシート９は、被覆膜８と同じ長尺に形成され、透明接着剤で被覆膜８と一体化されている。
前記フィルムシート９は、柔軟性があり、初期状態においては、図３に示すように、平坦状になっていて、上部の被覆膜８を介して操作者の指等で軽くタッチしただけで容易に弾性変形するようになっている。
また、弾性変形したフィルムシート９は、自身の弾性力で、初期状態の平坦状に自動復帰するようになっている。
尚、図面では、フィルムシート９を誇張して厚く書いているが、実際は被覆膜８より数ミクロン厚いだけで、図５に示すように、操作者の指が軽くタッチするだけで容易に弾性変形するようになっている。
【００２０】
また、第１〜第３操作部５〜７のそれぞれのフィルムシート９の下面には、図２に示すような文字あるいは記号等からなるメニュー表示５ｂ、６ｂ、７ｂが印刷形成され、このメニュー表示５ｂ、６ｂ、７ｂが、透明なフィルムシート９および被覆膜８を介して、それぞれの操作面５ａ、６ａ、７ａから視認できるようになっている。
そして、第１の操作部５のメニュー表示５ｂは、例えば「今の番組」が印刷されており、第１の操作部５を操作することで、今放送中の各放送局のテレビ番組をテレビ受像器等の画面上に表示できるようになっている。
また、第１の操作部５には、メニュー表示５ｂの左側に左スクロールマーク５ｃと、メニュー表示５ｂの右側に右スクロールマーク５ｄとが、それぞれ矢印状に印刷形成されている。
【００２１】
また、第２の操作部６のメニュー表示６ｂは、例えば「録画した番組」が印刷されており、第２の操作部６を操作することで、外部機器である例えばＤＶＤ録画装置のメニューである録画している番組リストをテレビ受像器等の画面上に表示できるようになっている。また、第２の操作部６には、メニュー表示６ｂの左側に左スクロールマーク６ｃと、メニュー表示６ｂの右側に右スクロールマーク６ｄとが、それぞれ矢印状に印刷形成されている。
【００２２】
また、第３の操作部７のメニュー表示７ｂは、例えば「番組表」が印刷されており、第３の操作部７を操作することで、外部機器である例えばＤＶＤ録画装置のメニューである各放送局別の番組表をテレビ受像器等の画面上に表示できるようになっている。
また、第３の操作部７には、メニュー表示７ｂの左側に左スクロールマーク７ｃと、メニュー表示７ｂの右側に右スクロールマーク７ｄとが、それぞれ矢印状に印刷形成されている。
【００２３】
また、第１〜第３の操作部５〜７のそれぞれのフィルムシート９のメニュー表示部５ｂ、６ｂ、７ｂが形成された下面には、フィルム状のアークチュエータ１０がそれぞれ接着されている。
前記アークチュエータ１０の下面には、所定のピッチ寸法で略半球状の複数の突起１０ａ〜１０ｅが突出形成されている。
前記複数の突起１０ａ〜１０ｅは、例えば紫外線硬化型の樹脂（ＵＶ樹脂）等を印刷することにより形成されている。
前記突起１０ａ〜１０ｅは、紫外線硬化樹脂の限定されず、例えば球状の樹脂ボールを接着剤等でアークチュエータ１０に固着したものでも良い。
【００２４】
また、アクチュエータ１０が対向する下部側には、メンブレンシート１１が配設され、複数の突起１０ａ〜１０ｅが対向する部分のメンブレンシート１１に複数のスイッチ部Ｓ１〜Ｓ５が形成されている。
そして、複数の突起１０ａ〜１０ｅは、メンブレンシート１１の上面に粘着層（図示せず）を介して接着固定されている。
このように、複数の突起１０ａ〜１０ｅをメンブレンシート１１に接着することで、フィルムシート９が上方に浮き上がるのを防止している。
【００２５】
また、メンブレンシート１１は、図３に示すように、上部シート１２と下部シート１３とが、シート状のスペーサ１４を挟んで互いに対向して配設されている。
前記上部シート１２と下部シート１３とは、いずれもＰＥＴ（ポリエチレンテレフタラート）樹脂、あるいは、ポリイミド樹脂等の可撓性を有する素材で形成され、スペーサ１４も同じ材料で形成されている。尚、スペーサ１４は、例えば接着層で形成したものでも良い。
また、突起１０ａ〜１０ｅが対向する位置の上部シート１２と下部シート１３の対向面には、円形の第１〜第５の可動接点部１２ａ〜１２ｅと第１〜第５の固定接点部１３ａ〜１３ｅとが対向形成されている。
【００２６】
前記第１〜第５の可動接点部１２ａ〜１２ｅと第１〜第５の固定接点部１３ａ〜１３ｅとは、銅、あるいは銀等の導電性材料からなり、印刷等により例えば円形状に形成されている。
また、互いに対向して形成された第１〜第５の可動接点部１２ａ〜１２ｅと第１〜第５の固定接点部１３ａ〜１３ｅとが対向する部分のスペーサ１４には、それぞれの可動接点部１２ａ〜１２ｅおよび固定接点部１３ａ〜１３ｅの外径より大きな貫通孔１４ａ〜１４ｅが形成されている。
【００２７】
また、下部シート１３には、第１〜第５の固定接点部１３ａ〜１３ｅのそれぞれから個別引き出し線（図示せず）が引き出し形成され、上部シート１２には、第１〜第５の可動接点部１２ａ〜１２ｅのそれぞれに導通する共通引き出し線（図示せず）が形成され、個別引き出し線及び共通引き出し線は、制御部（図示せず）にそれぞれ接続されている。
前記制御部によって、それぞれの個別引き出し線と共通引き出し線との間に所定の電圧が印加されており、図５に示すように、例えば第３可動接点部１２ｃが形成された部分の第１の操作部５の操作面５ａを軽くタッチすると、第３可動接点部１２ｃと第３固定接点部１３ｃとが互いに接触して導通し、スイッチ部Ｓ３が切り換わったことを検出可能になっている。
また、メンブレンシート１１の下部には、硬質の基板（図示せず）が配設され、この硬質の基板上ににメンブレンシート１１が載置されている。
そして、硬質の基板の下部にタクトスイッチ等のメカ式のスイッチ（図示せず）が配設されている。
【００２８】
このような本発明の入力装置１の操作方法を、例えば外部機器がテレビ受像器に接続したＤＶＤ録画装置で説明すると、例えば、「今の番組」のメニュー表示５ｂが印刷された第１の操作部５の一部（例えばスイッチ部Ｓ３の部分）を軽くタッチする第１の操作で、被覆膜８とフィルムシート９が弾性変形して、突起１０ｃがメンブレンシート１１の上部シート１２を押圧する。
このことにより、スイッチ部Ｓ３の第３の可動接点部１２ｃが降下して固定接点１３ｃに導通しスイッチ部Ｓ３が切り換わる。
【００２９】
前記第１の操作で、例えばスイッチ部Ｓ３が切り換わったことを制御部が認識すると、「今の番組」のメニュー表示５ｂに対応する外部機器である例えばＤＶＤ録画装置のメニューが起動し、テレビ受像器の画面上に起動したメニューの中の詳細なコンテンツである、例えば今放送中の各放送局の番組画面が分割表示される。
前記第１の操作後に、例えば第１の操作部５をタッチしている操作者の指を第１の操作部５の長尺方向である横方向になぞる第２の操作で、所望のコンテンツである、例えば所望の番組を選択することができる。
そして、第２の操作で操作部５をなぞる長さを変えることで、隣り合ったコンテンツ、あるいは離れた位置のコンテンツを選択可能になっている。
即ち、第１の操作の後、操作部５から操作者の指を離すことなく第２の操作を連続して行うことができ、操作性に優れている。
【００３０】
即ち、本発明の入力装置の操作方法は、第１の操作後に、操作部をなぞる第２の操作で、起動したメニューの中から所望のコンテンツを選択可能になっている。
あるいは、所望のコンテンツを選択する別な方法として、左スクロールマーク５ｃ、または右スクロールマーク５ｄを軽くタッチすることで、例えばテレビ受像器の画面上に起動したメニューである各放送局の番組画面上をカーソルが左方向、または右方向に移動してメニュウ選択するようにしても良い。
次ぎに、第２の操作で所望のコンテンツメニュウを選択後に、操作部５を強く押し込む第３の操作で、メンブレンスイッチ１１の下部に配設しているタクトスイッチ等からなるスイッチが入力され、選択された所望のコンテンツを決定されて、テレビ受像器の画面上に自分の観賞したい番組を立ち上げて映し出すことができる。
あるいは、第２の操作後に、第１の操作部５の一部を２回繰り返してタッチすることで、第２の操作で選択した機能メニュウを決定するようにしても良い。
【００３１】
また、第２の操作部６の操作方法は、まず、第１の操作によって、第２の操作部６を軽くタッチすると、「録画した番組」のメニュー表示６ｂに対応する外部機器である例えばＤＶＤ録画装置のメニューが起動して、ＤＶＤ録画装置に録画している録画リストがテレビ受像器の画面上に表示される。
次ぎに、第２の操作で第２の操作部６なぞることで、録画リストの中から所望のコンテンツである録画番組を選択することができる。
そして、第３の操作で操作部６を強く押し込むことで、所望のコンテンツが決定されて選択した所望の録画番組を立ち上げて再生することができる。
【００３２】
また、また、第３の操作部７の操作方法は、まず、第１の操作によって、第３の操作部７を軽くタッチすると、「番組表」のメニュー表示７ｂに対応する外部機器である例えばＤＶＤ録画装置のメニューが起動して、複数の放送局名がテレビ受像器の画面上に表示される。
次ぎに、第２の操作で第３の操作部７をなぞることで、所望の放送局を選択することができ、第３の操作で第３の操作部７を強く押し込むことで、メンブレンシート１１下部に配設したスイッチ（図示せず）が入力されて、選択した所望の放送局の番組表がテレビ受像器の画面上に表示される。
【００３３】
更に、左スクロールマーク７ｃ、または右スクロールマーク７ｄを軽くタッチすることで、第３の操作で表示した番組表の中の所望の番組の概要を見ることができる。
即ち、左スクロールマーク７ｃ、または右スクロールマーク７ｄをタッチすることで、選択したコンテンツの階層レベルを深くしたり浅くしたりすることができる。
【００３４】
尚、本発明の入力装置１の実施の形態では、メニュー表示５ｂ、６ｂ、７ｂのそれぞれを、フィルムシート９の下面に印刷形成したもので説明したが、メニュー表示５ｂ、６ｂ、７ｂは、フィルムシート９の上面に印刷形成したものでも良い。このような、メニュー表示５ｂ、６ｂ、７ｂを上面に印刷することにより、フィルムシート９は透明でなくても良い。
また、フィルムシート９上を被覆膜８で覆ったもので説明したが、被覆膜８を無くして、直接フィルムシート９の上面を入力装置１の表面２から露出させたものでも良い。
【００３５】
また、操作部４は、第１〜第３の操作部５〜７の３個に限らず、３個以上、または３個以下に形成したものでも良い。
また、スイッチ部Ｓ１〜Ｓ５は、５個に限らず、５個以上、または５個以下でも良い。
また、操作部４の操作方法は、第１〜第４の操作だけでなく、その他複数の操作を組み合わせて、更に、メニュウの階層レベルを深くすることも可能である。
また、本発明の操作方法では、第３の操作を操作部を強く押し込んで、メンブレンスイッチ１１の下部に配設したスイッチを入力することで説明したが、操作部近傍の入力装置１の表面２にタクトスイッチ等からなるスイッチ（図示せず）を配設して、第３の操作は、操作部近傍のスイッチを押圧操作するようにしたものでも良い。
【図面の簡単な説明】
【００３６】
【図１】本発明の入力装置の部分斜視図である。
【図２】本発明に係わる操作部の部分拡大図である。
【図３】図１の３−３断面図である。
【図４】図１の４−４断面図である。
【図５】本発明の入力装置の操作方法を説明する要部断面図である。
【符号の説明】
【００３７】
１  入力装置
２  表面
３  操作ボタン
４  操作部
５  第１の操作部
５ａ  操作面
５ｂ  メニュー表示
５ｃ  左スクロールマーク
５ｄ  右スクロールマーク
６  第２の操作部
７  第３の操作部
８  被覆膜
９  フィルムシート
１０  アークチュエータ
１０ａ〜１０ｅ  突起
Ｓ１〜Ｓ５  スイッチ部
１１  メンブレン
１２  上部シート
１２ａ〜１２ｅ  第１〜第５の可動接点部
１３  下部シート
１３ａ〜１３ｅ  第１〜第５の固定接点部
１４  スペーサ
１４ａ〜１４ｅ  貫通孔
【図１】
2006195769.tif 000003
【図２】
2006195769.tif 000004
【図３】
2006195769.tif 000005
【図４】
2006195769.tif 000006
【図５】
2006195769.tif 000007